(57)【要約】【課題】ディジタル情報を２次元画像に変換して符号化パターンにより記録する場合に、単位画素ブロック内でのＯＮピクセル数が異なっても、符号化率を増大できるホログラフィック記録方法、装置を提供する。【解決手段】ホログラフィック記録再生装置１０は、ディジタル情報を２次元画像に変換し、該２次元画像に基づいて物体光を強度変調する空間光変調器１８Ｃを有し、この空間光変調器１８Ｃは、前記２次元画像における４以上の数の画素を単位画素ブロックとし、該単位画素ブロックにおけるＯＮピクセル数の異なる少なくとも２種類の符号化パターンを混在させて２次元画像を表示するようにされている。再生時には、単位画素ブロック毎の光量を２次元光検出器２４で検出して、そのＯＮピクセル数を判定し、閾値を設定した上で、撮像素子２２Ｂによる画像検出を行なう。【選択図】図１
2005190636.tif 000002
【特許請求の範囲】
【請求項１】
ディジタル情報を２次元画像に変換し、該２次元画像に基づいて物体光を空間光変調し、参照光と共にホログラフィック記録媒体に照射して、干渉縞により前記２次元画像を記録するホログフィック記録方法であって、
前記２次元画像における４以上の数の画素を単位画素ブロックとし、該単位画素ブロックにおけるＯＮピクセル数の異なる符号化パターンを混在させて２次元画像を記録することを特徴とするホログラフィック記録方法。
【請求項２】
請求項１において、
前記単位画素ブロックを構成する画素数をｎとしたとき、前記符号化パターンの数を、ｎＣ０〜ｎＣｎまでの総和としたことを特徴とするホログラフィック記録方法。
【請求項３】
ディジタル情報を２次元画像に変換し、該２次元画像に基づいて空間光変調された物体光を、参照光と共にホログラフィック記録媒体に照射して、干渉縞により記録されたディジタル情報を再生するホログラフィックメモリ再生方法であって、
前記２次元画像は、４以上の数の画素を単位画素ブロックとし、該単位画素ブロックにおけるＯＮピクセル数の異なる少なくとも２種類の符号化パターンを混在させて記録されていて、
再生時には、前記単位画素ブロック毎に、ＯＮピクセル数を検出し、検出されたＯＮピクセル数に基づき画像検出用の２次元検出器における検出光強度のＯＮ・ＯＦＦ間の閾値を設定することを特徴とするホログラフィックメモリ再生方法。
【請求項４】
請求項３において、
前記符号化パターンは、前記単位画素ブロックにおける画素数をｎとしたときの、ｎＣ０〜ｎＣｎまでの総和Ｎに等しい種類が設けられ、前記検出光強度の閾値を、ｎ種類設定されていることを特徴とするホログラフィックメモリ再生方法。
【請求項５】
ディジタル情報を２次元画像に変換し、該２次元画像に基づいて物体光を空間光変調器により強度変調し、参照光と共にホログラフィック記録媒体に照射して、干渉縞により前記２次元画像を記録するホログラフィック記録装置であって、
前記空間光変調器は、前記２次元画像における４以上の数の画素を単位画素ブロックとし、該単位画素ブロックにおけるＯＮピクセル数の異なる少なくとも２種類の符号化パターンを混在させて２次元画像を表示するようにされたことを特徴とするホログラフィック記録装置。
【請求項６】
請求項５において、
前記空間光変調器は、前記単位画素ブロックにおける画素数をｎとしたときの、ｎＣ０〜ｎＣｎまでの総和Ｎに等しい種類の符号化パターンを表示するようにされたことを特徴とするホログラフィック記録装置。
【請求項７】
ディジタル情報を２次元画像に変換し、該２次元画像に基づいて空間光変調された物体光を、参照光と共にホログラフィック記録媒体に照射して、干渉縞により記録されたディジタル情報を、画像検出用２次元光検出器により再生するホログラフィックメモリ再生装置であって、
前記２次元画像は、４以上の数の画素を単位画素ブロックとし、該単位画素ブロックにおけるＯＮピクセル数の異なる少なくとも２種類の符号化パターンを混在させて記録されていて、
前記単位画素ブロック毎に、ＯＮピクセル数を検出するＯＮピクセル数検出装置と、このＯＮピクセル数検出装置により検出されたＯＮピクセル数に基づき、前記２次元光検出器における検出光強度のＯＮ・ＯＦＦ間の閾値を設定する閾値設定装置とを有することを特徴とするホログラフィックメモリ再生装置。
【請求項８】
請求項７において、
前記空間光変調器で表示される符号化パターンは、前記単位画素ブロックにおける画素数をｎとしたときの、ｎＣ０〜ｎＣｎまでの総和Ｎに等しい種類が設定され、前記閾値設定装置は、前記閾値を、ｎ種類設定可能とされたことを特徴とするホログラフィックメモリ再生装置。
【発明の詳細な説明】
【技術分野】
【０００１】
この発明は、物体光と参照光とをホログラフィック記録媒体に照射して、その干渉縞により情報を記録するためのホログラフィック記録方法及び装置、又、ホログラフィック記録された情報を再生するためのホログラフィックメモリ再生方法及び装置に関する。
【背景技術】
【０００２】
ディジタル情報を２次元画像に変換し、該２次元画像情報に基づいて空間光変調した物体光を、参照光と共にホログラフィック記録媒体に照射して、干渉縞により２次元画像を記録するホログラフィック記録方法及び装置がある。
【０００３】
この場合、空間光変調のための空間光変調器における１画素を、データの１ビットに対応させることもできるが、空間光変調器の２画素をデータの１ビットに対応させる微分符号化という方法がある（例えば非特許文献１参照）。
【０００４】
これは、隣接箇所からのクロストークによって再生時のビットエラーレート（ＢＥＲ）が増大するのを防ぐためであるが、空間光変調器の画像表示能力、光学系の画像伝達能力、ホログラフィック記録媒体の画像再生能力等に限界があり、画素間のクロストークが必ず発生してしまうという問題点があった。
【０００５】
一般的に、１画素で１ビットを表現する場合、隣接する４画素あるいは画素の頂点のみを共有する４画素を含めた８画素中でのＯＮピクセル数が多いか、ＯＦＦピクセル数が多いかによって検出すべき画素の光量がばらつき、エラーの原因となる。
【０００６】
従って、数十万〜数百万画素の中で、検出光量が最大のＯＦＦピクセルと最小のＯＮピクセルが識別できないときにエラーが発生してしまう。
【０００７】
一方、前記微分符号化法を用いれば、予め決められた対をなす２画素がＯＮ／ＯＦＦ（データの０）又はＯＦＦ／ＯＮ（データの１）のいずれかに符号化されるので、光量の大きい画素をＯＮとして検出するだけでよい。即ち、わずか２画素の光量を比較して正しく識別されればエラーは発生しない。
【０００８】
前記微分符号化法を更に発展させて、より多数の画素を１つの単位（画素ブロック）として、そのうちの特定数の画素をＯＮとする符号化方法も、非特許文献２のように提案されている。
【０００９】
例えば、６画素を１ブロックとして、このうちの３画素がＯＮ、３画素がＯＦＦという符号化をすれば、１つの画素ブロックで表現できる画素パターンは、６Ｃ３＝２０通り、即ち６画素で４ビットを表現できることになる。
【００１０】
画素数に対するビット数の比を「符号化率」としたとき、記録密度は符号化率に比例する。前記微分符号化法では符号化率が５０％であるが、６画素を１ブロックとする符号化では、符号化率が６７％となる。
【００１１】
このように１ブロックを構成する画素数を多くするほど符号化率は大きくなるが、画素ブロック内のＯＮピクセル数が一定である限り、符号化率が１００％（非微分符号化の場合）に達することはない。又、記録材料のダイナミックレンジ消費を抑制するという観点からは、画素ブロック内のＯＮピクセル数ができるだけ少ない方がよく、ブロック構成画素数に対するＯＮピクセル数（ＯＮピクセル比率）が５０％から乖離するほど符号化率が低下する傾向がある。
【００１２】
このように、ＯＮ画素数の多い符号化パターンはビット当たりの感光度消費が大きいので、記録材料のダイナミックレンジがシステムパフォーマンスを律している場合には、ＯＮピクセル数の少ない組合せだけで構成することも可能である。例えば、１画素ブロックの画素数を９個として、その符号化においてＯＮピクセル数が０〜４までを許容すれば、１画素ブロックで表現できるパターン数は２５６通りとなり、符号化率は８／９＝８９％となり、ＯＮ画素数を固定する場合に対して有利となる。
【００１３】
【非特許文献１】J．F．Heanue  et  al．Science  265,749(1994)
【非特許文献２】B．Marcus，“Modulation  Codes  for  Holographic  Recording”in  Hans  Coufal  et  al．“Holographic  Data  Strage,”Springer  Verlag(2000)p.283
【発明の開示】
【発明が解決しようとする課題】
【００１４】
上記のようにして、記録容量を増大させると、再生時の画像検出精度に問題が生じる。
【００１５】
何故なら、ＯＮピクセル数固定の場合と異なり、ＯＮピクセル比率の異なる符号化パターンが混在すると、撮像素子での再生像強度がばらついてしまい、画素間クロストーク等によってＢＥＲが増大してしまうという問題点を生じる。
【００１６】
この発明は、上記従来の問題点に鑑みてなされたものであって、ＯＮピクセル数が異なる画素ブロックを混在させても、再生像強度のばらつきが生じないようにして、符号化率を向上させることができるホログラフィック記録方法、ホログラフィックメモリ再生方法、ホログラフィック記録装置及びホログラフィックメモリ再生装置を提供することを目的とする。
【課題を解決するための手段】
【００１７】
本発明者は、鋭意研究の結果、４以上の数の画素を単位画素ブロックとして、この単位画素ブロック毎に、ＯＮピクセル数を検出し、その検出値に基づいて２次元光検出器における検出光強度のＯＮ・ＯＦＦ間の閾値を変化させることによって再生像強度のばらつきを抑制できることが分かった。
【００１８】
即ち、以下の本発明により上記目的を達成することができる。
【００１９】
（１）ディジタル情報を２次元画像に変換し、該２次元画像に基づいて物体光を空間光変調し、参照光と共にホログラフィック記録媒体に照射して、干渉縞により前記２次元画像を記録するホログフィック記録方法であって、前記２次元画像における４以上の数の画素を単位画素ブロックとし、該単位画素ブロックにおけるＯＮピクセル数の異なる符号化パターンを混在させて２次元画像を記録することを特徴とするホログラフィック記録方法。
【００２０】
（２）前記単位画素ブロックを構成する画素数をｎとしたとき、前記符号化パターンの数を、ｎＣ０〜ｎＣｎまでの総和としたことを特徴とする（１）に記載のホログラフィック記録方法。
【００２１】
（３）ディジタル情報を２次元画像に変換し、該２次元画像に基づいて空間光変調された物体光を、参照光と共にホログラフィック記録媒体に照射して、干渉縞により記録されたディジタル情報を再生するホログラフィックメモリ再生方法であって、前記２次元画像は、４以上の数の画素を単位画素ブロックとし、該単位画素ブロックにおけるＯＮピクセル数の異なる少なくとも２種類の符号化パターンを混在させて記録されていて、再生時には、前記単位画素ブロック毎に、ＯＮピクセル数を検出し、検出されたＯＮピクセル数に基づき画像検出用の２次元検出器における検出光強度のＯＮ・ＯＦＦ間の閾値を設定することを特徴とするホログラフィックメモリ再生方法。
【００２２】
（４）前記符号化パターンは、前記単位画素ブロックにおける画素数をｎとしたときの、ｎＣ０〜ｎＣｎまでの総和Ｎに等しい種類が設けられ、前記検出光強度の閾値を、ｎ種類設定されていることを特徴とする（３）に記載のホログラフィックメモリ再生方法。
【００２３】
（５）ディジタル情報を２次元画像に変換し、該２次元画像に基づいて物体光を空間光変調器により強度変調し、参照光と共にホログラフィック記録媒体に照射して、干渉縞により前記２次元画像を記録するホログラフィック記録装置であって、前記空間光変調器は、前記２次元画像における４以上の数の画素を単位画素ブロックとし、該単位画素ブロックにおけるＯＮピクセル数の異なる少なくとも２種類の符号化パターンを混在させて２次元画像を表示するようにされたことを特徴とするホログラフィック記録装置。
【００２４】
（６）前記空間光変調器は、前記単位画素ブロックにおける画素数をｎとしたときの、ｎＣ０〜ｎＣｎまでの総和Ｎに等しい種類の符号化パターンを表示するようにされたことを特徴とする（５）に記載のホログラフィック記録装置。
【００２５】
（７）ディジタル情報を２次元画像に変換し、該２次元画像に基づいて空間光変調された物体光を、参照光と共にホログラフィック記録媒体に照射して、干渉縞により記録されたディジタル情報を、画像検出用２次元光検出器により再生するホログラフィックメモリ再生装置であって、前記２次元画像は、４以上の数の画素を単位画素ブロックとし、該単位画素ブロックにおけるＯＮピクセル数の異なる少なくとも２種類の符号化パターンを混在させて記録されていて、前記単位画素ブロック毎に、ＯＮピクセル数を検出するＯＮピクセル数検出装置と、このＯＮピクセル数検出装置により検出されたＯＮピクセル数に基づき、前記２次元光検出器における検出光強度のＯＮ・ＯＦＦ間の閾値を設定する閾値設定装置とを有することを特徴とするホログラフィックメモリ再生装置。
【００２６】
（８）前記空間光変調器で表示される符号化パターンは、前記単位画素ブロックにおける画素数をｎとしたときの、ｎＣ０〜ｎＣｎまでの総和Ｎに等しい種類が設定され、前記閾値設定装置は、前記閾値を、ｎ種類設定可能とされたことを特徴とする（７）に記載のホログラフィックメモリ再生装置。
【発明の効果】
【００２７】
本発明においては、単位画素ブロック内でのＯＮピクセル数が異なっていても、そのＯＮピクセル数を画素ブロック毎に検出して、２次元光検出器における検出光強度のＯＮ・ＯＦＦ間の閾値を画素ブロック毎に変更できるので、ＢＥＲを少なくして、符号化率を増大することができるという効果を有する。
【発明を実施するための最良の形態】
【００２８】
この発明のホログラフィック記録方法では、ディジタル情報を２次元画像に変換し、その２次元画像における４以上の数の画素を単位画素ブロックとし、該単位画素ブロックにおけるＯＮピクセル数の異なる符号化パターンを混在させてディジタル情報を記録し、再生時には、単位画素ブロック毎のＯＮピクセル数を検出し、検出されたＯＮピクセル数に基づき、画像検出用の２次元光検出器における検出光強度のＯＮ・ＯＦＦ間の閾値を画素ブロック毎に設定することにより、上記目的を達成する。
【実施例１】
【００２９】
以下図１を参照して本発明の実施例１について説明する。
【００３０】
この実施例１に係るホログラフィック記録再生装置１０は、レーザ光源１２と、このレーザ光源１２から出射されるレーザ光を透過及び反射することによって参照光及び物体光に分岐するビームスプリッタ１４と、前記ビームスプリッタ１４を透過した物体光をホログラフィック記録媒体１６に導く物体光学系１８と、前記ビームスプリッタ１４において反射された参照光をホログラフィック記録媒体１６に導く参照光学系２０と、前記ホログラフィック記録媒体１６に再生光を照射したときに発生する回折光から、２次元情報を再生するための撮像光学系２２と、ＯＮピクセル数検出装置２４と、閾値設定装置２６とを備えて構成されている。
【００３１】
前記物体光学系１８は、前記ビームスプリッタ１４を透過した物体光のビーム径を拡大するためのビームエキスパンダ１８Ａと、ミラー１８Ｂと、空間光変調器１８Ｃと、フーリエレンズ１８Ｄとを、前記ビームスプリッタ１４側からこの順で備えて構成されている。又、前記参照光学系２０は、ミラー２０Ａを備えて構成されている。
【００３２】
前記撮像光学系２２は、前記ホログラフィック記録媒体１６に対する、前記物体光の光軸の延長上に配置された結像レンズ２２Ａと、この結像レンズ２２Ａによって回折光が結像される位置に配置された画像検出用２次元光検出器である撮像素子２２Ｂと、を備えて構成されている。
【００３３】
前記撮像光学系２２における、前記結像レンズ２２Ａと撮像素子２２Ｂとの間には、第２のビームスプリッタ２３が配置され、結像レンズ２２Ａを通った回折光の一部を側方に反射させるようにされている。
【００３４】
前記ＯＮピクセル数検出装置２４は、２次元光検出器２４Ａ及びＯＮピクセル数判定装置２４Ｂから構成されている。前記反射光は、前記２次元光検出器２４Ａに入射するようにされていて、又、前記２次元光検出器２４Ａの出力信号は、前記ＯＮピクセル数判定装置２４Ｂに入力するようにされている。
【００３５】
このＯＮピクセル数判定装置２４Ｂの判定結果の信号は、前記閾値設定装置２６に入力され、前記撮像素子２２Ｂからの入力信号を、設定された閾値に基づいて１又は０とするようにされている。
【００３６】
前記空間光変調器１８Ｃは、制御装置２８によって、記録すべきディジタル情報を２次元画像に変換し、該２次元画像の情報に基づいて、前記物体光を空間光変調するようにされている。
【００３７】
前記制御装置２８は、次に説明するように、記録すべきディジタル情報を２次元画像に変換し、これを符号化するようにされている。
【００３８】
制御装置２８によって符号化する画像は、例えば図２（Ａ）〜（Ｃ）に示されるようになっていて、ここでは、説明を簡単にするために、９×９画素で構成されているものとする。又、制御装置２８は、前記図２に示される画像全体を、３×３画素の単位画素ブロックによって分割して表示するようにされている。図２において、白色の画素はＯＮピクセル、黒色の画素はＯＦＦピクセルを、それぞれ示す。
【００３９】
図３は、単位画素ブロックＵＢの例を示すものであり、単位画素ブロック内のＯＮピクセル数が０個の場合は図３（Ａ）、１個の場合は図３（Ｂ）、・・・９個の場合は図３（Ｊ）で表わしている。
【００４０】
制御装置２８では、各単位画素ブロック内でのＯＮピクセル数を固定せず、０〜９画素の任意の値を取り得るようにされている。
【００４１】
これによって、１つの単位画素ブロックＵＢで表現できるパターン数は、図３（Ａ）〜（Ｊ）のそれぞれの下部に示されるように、9Ｃ0〜9Ｃ9の総和となる。従って、この場合のパターン総数は５１２＝２9となり、符号化率は９／９＝１００％である。
【００４２】
なお、背景技術の欄において説明したように、ＯＮ画素数の多い符号化パターンは、ビット当たりの感光度消費が大きいので、記録材料のダイナミックレンジがシステムパフォーマンスを律している場合には、ＯＮピクセル数の少ない組合せだけで構成することもできる。
【００４３】
例えば、図３に示される符号化において、ＯＮピクセル数が０〜４（図３（Ａ）〜（Ｅ））までを許容すれば、単位画素ブロックＵＢで表現できるパターン数は２５６通りとなり、符号化率は８／９＝８９％となって、ＯＮ画素数を固定する場合と比較して、以然優位性を保つことができる。
【００４４】
次に、ホログラフィック記録媒体１６に、前記制御装置２８によって制御される空間光変調器１８Ｃで、ディジタル情報を、上記のように２次元の画像に符号化した上で、物体光に付与して、ホログラフィック記録媒体に記録する過程について説明する。
【００４５】
レーザ光源１２から出射されたレーザ光は、ビームスプリッタ１４において、透過光である物体光と反射光である参照光とに分岐される。
【００４６】
物体光は、物体光学系１８に入射し、ビームエキスパンダ１８Ａでそのビーム径が拡大された後、ミラー１８Ｂで反射され、空間光変調器１８Ｃで、記録すべきディジタル情報に応じて２次元画像における画素毎に強度変調され、フーリエレンズ１８Ｄを通ってホログラフィック記録媒体１６に照射される。
【００４７】
又、ビームスプリッタ１４で反射された参照光は、ミラー２０Ａで反射されることによって、ホログラフィック記録媒体１６に照射される。
【００４８】
ホログラフィック記録媒体１６では、入射した物体光と参照光との干渉縞によって、前記２次元画像情報がホログラムとして記録されることになる。
【００４９】
前記物体光の強度変調の際、制御装置２８は、前述のように、ディジタル情報を２次元の画像に、前記図３に示されるような単位画素ブロック毎のＯＮピクセル数が異なる符号化パターンを混在させる。
【００５０】
次に、上記のように記録されたホログラムから、ディジタル情報を再生する過程について説明する。
【００５１】
ディジタル情報の再生時には、前記空間光変調器１８Ｃの全画素をＯＦＦとして、参照光のみをホログラフィック記録媒体１６に照射すると、該ホログラフィック記録媒体１６に記録されたホログラムが回折格子として作用し、回折光として２次元データを有する物体光が再生される。
【００５２】
この物体光は、前記結像レンズ２２Ａによってコリメート状態とされ、空間光変調器１８Ｃで付与された画像を撮像素子２２Ｂの画像検出面上に結像される。
【００５３】
撮像素子２２Ｂで検出された画像は、ピクセルミスマッチの補正や画素単位での信号値判定の後に復元化及びエラー訂正を施されてディジタルデータとして検出される。
【００５４】
前記画素単位での信号値判定は、前記閾値設定装置２６により設定された閾値に基づいてなされる。
【００５５】
この閾値設定装置２６により設定される閾値は、前記ＯＮピクセル数検出装置２４からの信号に基づいて決定される。
【００５６】
次に、前記ＯＮピクセル数検出装置２４の詳細な構成及び作用について次に説明する。
【００５７】
前記２次元光検出器２４Ａにおいて検出する画像の画素２５のサイズは、図４（Ｂ）に示されるように、図４（Ａ）に示される撮像素子２２Ｂでの画像における画素サイズの９倍、即ち、単位画素ブロックＵＢに対応して設けられていて、２次元光検出器２４Ａは各画素での光量を検出するようにされている。
【００５８】
前記ＯＮピクセル数判定装置２４Ｂは、２次元光検出器２４Ａからの画素（空間光変調器１８Ｃでの単位画素ブロックＵＢ）毎の光量によって、ＯＮピクセル数が０〜９のいずれかを判定して、その結果を閾値設定装置２６に出力するようにされている。
【００５９】
図５は、実際の検出の様子を示したものであり、図５（Ａ）は、符号化されたデータ画像を示し、又図５（Ｂ）は、２次元光検出器２４Ａによる検出画像を示している。なお、表示を分かり易くするために、図５（Ｂ）では、画素毎の検出光量を数字で、具体的には、９個の画素からなる単位画素ブロック内でのＯＮピクセル数を数字で示している。
【００６０】
従って、図５（Ｂ）に示されるように、２次元光検出器２４Ａでの画素（単位画素ブロックに相当する）では、例えば、図５（Ａ）での左上の９個の画素からなる単位画素ブロックでは、図５（Ｂ）に示される数３から、ＯＮピクセル数が３と判定される。
【００６１】
次に、撮像素子２２Ｂにおいて、前記ＯＮピクセル数が３の単位画素ブロック中の９画素の各々における入射光量が検出され、前記判定されたＯＮピクセル数３にもとづいて、次に説明するように、画像処理装置３０において、最も光量の多い３画素がＯＮ、残りの６画素がＯＦＦとして識別され、複合化・エラー訂正を経て元のディジタル情報が再生されることになる。
【００６２】
前記画像処理装置３０におけるＯＮ／ＯＦＦピクセルの判定及びこれに基づく最終的なデジタル情報の再生過程について図６及び図７を参照して説明する。
【００６３】
図６におけるステップ１０１では、前記撮像素子２２Ｂにおいて画素単位の画像検出をする（図７（Ａ）参照）。
【００６４】
一方、ステップ２０１において、前記２次元光検出器２４Ａより、単位画素ブロック単位での画像検出を行い、前述のように、ＯＮピクセル数検出装置２４により単位画素ブロック毎のＯＮピクセル数を検出して、閾値設定装置２６を介して、画像処理装置３０に閾値が出力される。
【００６５】
画像処理装置３０では、ステップ１０２において画素毎の光量を、図７（Ｂ）に示されるように序列化し、ステップ１０３に進む。
【００６６】
ステップ１０３では、前記閾値設定装置２６からの閾値信号に基づいて、前記序列化された画素の、ＯＮ／ＯＦＦピクセルの判定をする。
【００６７】
この場合、図７（Ｃ）に示されるように、閾値が３であり、検出光量の多い３個の画素がＯＮピクセルと判断される。
【００６８】
次に、ステップ１０４において、予めＲＯＭ３２に記録されているＥＣＣテーブル３２Ａのデータを参照してエラー訂正をし、次にステップ１０５において、ＲＯＭ３２の符号化テーブル３２Ｂを参照して、複合化処理をして、元のデジタル情報が再生される。
【００６９】
なお、上記の説明から分かるように、空間光変調器１８Ｃ及び撮像素子２２Ｂでは、ビットマップ画像を扱うのに対して、２次元光検出器２４Ａでは階調表示された画像を検出しなければならない。
【００７０】
そこで、再生画像を２次元光検出器２４Ａで検出するときのダイナミックレンジが不足するような場合には、（１）再生時間を長くする、（２）再生光パワーを高くする、（３）符号化のＯＮピクセル数を間引く、等の方法によって再生画像品質を向上させることが考えられる。
【００７１】
例えば、（３）の符号化のＯＮピクセル数を間引く場合、図３において、例えばＯＮピクセル数２、５、８だけを許すことにすれば、２次元光検出器２４Ａで検出される画像の階調において、１水準当たりのダイナミックレンジが３倍になり、検出光精度が向上する。このようにしても、７８％の符号化率が得られる。
【００７２】
なお、上記実施例１は、ホログラフィック記録再生装置１０についてのものであるが、本発明はこれに限定されるものでなく、前記ホログラフィック記録媒体１６にディジタル情報を記録するのみのホログラフィック記録装置、あるいは予めホログラムが記録されているホログラフィック記録媒体１６に参照光を照射して情報を再生するためのホログラフィックメモリ再生装置についても当然適用されるものである。
【図面の簡単な説明】
【００７３】
【図１】本発明の実施例１に係るホログラフィック記録再生装置を示す光学系統図
【図２】同実施例１において符号化する画像全体を示すビットマップ画像
【図３】同実施例１において、単位画素ブロック及びこの単位画素ブロックによって表示され得る符号化パターンの例を示すビットマップ画像
【図４】同実施例１において、ディジタル情報を再生するための撮像素子における画素サイズを、２次元光検出器の画素サイズと比較して示す模式図
【図５】同撮像素子及び２次元光検出器で検出した画像の光量及びパターンを示す模式図
【図６】同実施例１の画像処理装置における画素のＯＮ／ＯＦＦを判定して画像処理をする過程を示すブロック図を含むフローチャート
【図７】同画像処理装置におけるＯＮ／ＯＦＦピクセルの判定過程を示す線図
【符号の説明】
【００７４】
１０…ホログラフィック記録再生装置
１２…レーザ光源
１６…ホログラフィック記録媒体
１８…物体光学系
１８Ｃ…空間光変調器
２０…参照光学系
２２…撮像光学系
２２Ｂ…撮像素子
２４…ＯＮピクセル数検出装置
２４Ａ…２次元光検出器
２４Ｂ…ＯＮピクセル数判定装置
２５…画素
２６…閾値設定装置
２８…制御装置
３０…画像処理装置
３２…ＲＯＭ
３２Ａ…ＥＣＣテーブル
３２Ｂ…符号化テーブル
ＵＢ…単位画素ブロック
【図１】
2005190636.tif 000003
【図２】
2005190636.tif 000004
【図３】
2005190636.tif 000005
【図４】
2005190636.tif 000006
【図５】
2005190636.tif 000007
【図６】
2005190636.tif 000008
【図７】
2005190636.tif 000009